(57)【要約】【課題】  発信相手が不応答の場合に、簡単操作で再発信のスケジュール情報とリマインド通知条件を登録する電話装置を提供する。【解決手段】  電話装置１は、所定の発信先へ電話発信した場合に発信先が不応答または留守モードによる自動応答であった場合に、前記リマインダー表示手段を起動する日時の指定を含む予め定められた特定操作が為されたならば、前記指定された日時に前記リマインダー表示手段が自動的に起動することを設定し、前記指定された日時が到来したならば、再発信に係るリマインダー情報を表示する。【選択図】図３
2017220694.tif 000002
【特許請求の範囲】
【請求項１】
所定のリマインダー情報を表示する電話装置であって、
所定の発信先へ電話発信した場合に前記発信先の不応答または留守モードによる自動応答を検知する応答検知手段と、
前記リマインダー情報を表示するリマインダー表示手段と、
前記リマインダー表示手段の表示内容および起動条件を設定するリマインダー設定手段と、を有し、
前記電話発信した発信先が不応答または留守モードによる自動応答であった場合に、前記リマインダー表示手段を起動する日時の指定を含む予め定められた特定操作が為されたならば、前記指定された日時に前記リマインダー表示手段が自動的に起動し、前記指定された日時が到来したならば、再発信に係るリマインダー情報を表示することを特徴とするリマインダー機能を有する電話装置。
【請求項２】
請求項１に記載の電話装置であって、
文字情報を送受信する文字情報送受信手段をさらに有し、
前記発信先が不応答または留守モードによる自動応答であった場合に、前記リマインダー表示手段を起動する日時に係る情報を含む文字情報を生成し、前記生成した文字情報を所定の送信先へ送信することを特徴とするリマインダー機能を有する電話装置。
【請求項３】
請求項１または２に記載の電話装置であって、
前記リマインダー表示手段を起動する日時が到来する以前に、前記発信先から着信が到来し自電話装置が当該着信に応答した場合、または前記送信した文字情報に対する返信の文字情報を受信した場合に、前記リマインダー表示手段を自動的に起動する設定を解除することを特徴とするリマインダー機能を有する電話装置。
【発明の詳細な説明】
【技術分野】
【０００１】
本発明は、予め設定した時刻や日時になると所定の処理の実行を促すリマインダー機能を有する電話装置に関し、特にリマインド通知処理方法に関する。
【背景技術】
【０００２】
従来、スケジュール管理システムにおけるスケジュールのリマインド通知処理方法として、例えば特許文献１には、スケジュール管理装置に予めユーザ毎にスケジュール情報と当該スケジュール情報をユーザに思い出させるためのリマインド通知条件（リマインド通知時期、リマインド通知期間、通知内容、通知手段）を登録しておき、当該スケジュール管理装置が、リマインド通知条件のリマインド通知時期（例えば「毎日」「毎週」）になると、リマインド通知期間に登録されたスケジュール期間（例えば「１日分」「１週間分」）のスケジュール情報の内、通知内容（例えば「日時」、「場所」のみ）に登録された情報のみを抽出して、通知手段（例えば、ＦＡＸ、電子メール、ポケットベル等）に登録された通知方法を用いて通知する技術が記載されている。
【先行技術文献】
【特許文献】
【０００３】
【特許文献１】特許公開平１１−４３９３６号公報
【発明の概要】
【発明が解決しようとする課題】
【０００４】
しかしながら、特許文献１に記載の技術は、各ユーザがスケジュール情報とリマインド通知条件を事前に登録しておかなければならない。例えば、電話発信時に発信相手が不在で、再発信のリマインド通知を実行しようとした場合、発信切断後にスケジュールおよびリマインドを登録しなければならず煩雑である。
【０００５】
本発明は上記課題に鑑みてなされたものであり、その目的は、発信相手が不応答の場合に、簡単操作で再発信のスケジュール情報とリマインド通知条件を登録する電話装置を提供することにある。
【課題を解決するための手段】
【０００６】
上記課題を解決するために、本発明は、リマインダー機能を有する電話装置であって、所定の発信先へ電話発信した場合に前記発信先の不応答または留守モードによる自動応答を検知する応答検知手段を有し、所定のリマインダー情報を表示するリマインダー表示手段をさらに有し、前記リマインダー表示手段の表示内容および起動条件を設定するリマインダー設定手段を有し、前記電話発信した発信先が不応答または留守モードによる自動応答であった場合に、前記リマインダー表示手段を起動する日時の指定を含む予め定められた特定操作が為されたならば、前記指定された日時に前記リマインダー表示手段が自動的に起動し、前記指定された日時が到来したならば、再発信に係るリマインダー情報を表示することを特徴とする。
【発明の効果】
【０００７】
本発明によれば、電話装置は、所定の発信先への電話発信が不応答または留守応答であったことを検知すると、リマインダー機能を起動する設定画面を表示し、ユーザ操作によってリマインダー機能を起動する日時を受付けると記憶する。
【０００８】
これにより、ユーザはリマインダー機能を起動する日時を設定するだけで、スケジュール情報を登録する必要がなくなる。
【図面の簡単な説明】
【０００９】
【図１】図１は、本発明における電話装置を含む電話システムの概略構成図である。
【図２】図２は、本発明における電話装置において、ユーザによって設定されたリマインダー機能を起動する場合のシーケンス図である。
【図３】図３は、本発明における電話装置の機能ブロック図である。
【図４】図４は、リマインダー設定記憶部に記憶されたリマインダー設定テーブルを模式的に表した図である。
【図５】図５は、本発明における電話装置の動作フロー図である。
【発明を実施するための形態】
【００１０】
以下に、本発明の一実施の形態について説明する。
【００１１】
図１は、本発明における電話装置１を含む電話システムの概略構成図である。
【００１２】
図示するように、本実施の形態に係る電話システムは、ＰＳＴＮ網および携帯電話網を含む電話網２に接続する電話装置１、電話網２に接続する電話装置３と、図示しない無線基地局を介して電話網２に接続する携帯電話４とから構成される。
【００１３】
電話装置１は、本発明の発明対象であり、リマインダー機能を有する電話機である。
【００１４】
電話装置３は、電話装置１からの発信を受付ける汎用電話機である。
【００１５】
携帯電話４は、電話装置１から後述する文字情報を受信する携帯電話機である。
【００１６】
図２は、本発明における電話装置１において、ユーザによって設定されたリマインダー機能を起動する場合のシーケンス図である。
【００１７】
電話装置１は、ユーザの電話発信操作を検出すると（Ｓ２０１）、電話発信コマンドを電話装置３へ送信する（Ｓ２０２）。そして、電話発信コマンドを受信した電話装置３は、着信に対して留守録処理を実行する留守モードが設定されていることを検知し（Ｓ２０３）、電話装置１へ応答コマンドを送信し通話を確立するとともに留守案内メッセージを送信、留守録処理を開始する（以下、これらの処理を総じて留守応答と呼称）（Ｓ２０４）。留守応答を検出した電話装置１は、ユーザにリマインダーの設定を操作させるためのリマインダー設定画面を表示する（Ｓ２０５）。
【００１８】
そして、ユーザによるリマインダー設定の日時を指定する操作およびまたは後述する文字情報送信操作を検知すると（Ｓ２０６）、電話装置１は、指定された日時にリダイヤル発信（再発信）しなければならない旨の文字情報を携帯電話４へ送信する（Ｓ２０７）とともに、検知した日時をリマインダー表示日時として記憶する（Ｓ２０９）。
【００１９】
そして、記憶したリマインダー表示日時が到来すると（Ｓ２０８）、電話装置１は、後述するリマインダー表示内容を一定時間表示する（Ｓ２０９）。
【００２０】
図３は、本発明における電話装置１の機能ブロック図である。
【００２１】
図示するように、電話装置１は、通信制御部１０１と、電話処理部１０２と、端末制御部１０３と、入力部１０４と、表示部１０５と、受話器１０６と、電話帳記憶部１０７と、不応答検知部１０８と、リマインダー処理部１０９と、リマインダー設定記憶部１１０と、文字情報生成・送信部１１１と、から構成される。
【００２２】
通信制御部１０１は、電話網２と接続するための通信インターフェースであり、電話装置１の通信に係る処理全般を制御する。
【００２３】
電話処理部１０２は、発着信処理および通話処理を含む呼制御処理全般を制御する。また電話処理部１０２は、端末制御部１０３からの指示に応じて電話帳記憶部１０７に各ユーザの電話帳情報をリード、ライトする。
【００２４】
端末制御部１０３は、電話装置１の端末に係る処理全般を制御する。
【００２５】
入力部１０４は、電話装置１のダイヤルキー等、各種キー入力を受付ける入力部である。
【００２６】
表示部１０５は、ＬＣＤ（Ｌｉｑｕｉｄ  Ｃｒｙｓｔａｌ  Ｄｉｓｐｌａｙ）等の表示器である。
【００２７】
受話器１０６は、話者の音声を入力するマイクおよび相手通話音声を再生するスピーカを含む受話器である。
【００２８】
電話帳記憶部１０７は、通話先の名称と連絡先（電話番号、メールアドレス他）とが対応付けられた電話帳情報を記憶する記憶部である。
【００２９】
不応答検知部１０８は、電話処理部１０２を監視し、電話装置１のユーザが所定の宛先に発信し、当該発信先が不応答であったことを検知するまたは留守応答を検知するとリマインダー処理部１０９へ発信先の電話番号（以下、相手番号と呼称）を渡すとともにリマインダー設定の表示を指示する。
【００３０】
ここで、「発信先が不応答であったことを検知する」とは、発信先から電話不応答コマンドを受信したことを検出する、または所定の宛先への発信しに対して一定時間（例えば１０秒）応答が無いことを検出する等、発信に対して通話先が不在であることを示唆する動作を検出した場合を意味する。
【００３１】
リマインダー処理部１０９は、相手番号とともにリマインダー設定の表示を指示されると、端末制御部１０３と連携して表示部１０５にリマインダー設定画面を表示する。そして、キー入力部１０４を監視し、ユーザによるリマインダー設定の日時を指定する操作を受付けるのを待つ。そして、日時を指定する操作を受付けると、リマインダー処理部１０９は、リマインダー設定記憶部１１０の後述するリマインダー設定テーブル１５００を更新する。また、ユーザによるリマインダー設定の日時を指定する操作とともに文字情報送信操作を受付けた場合、リマインダー処理部１０９は、リマインダー設定記憶部１１０のリマインダー設定テーブル１５００を更新するとともに、文字情報生成・送信部１１１に前記相手番号と文字情報の生成・送信を指示する。
【００３２】
ここで、リマインダー設定の日時を指定する操作を受付ける、または、ユーザによるリマインダー設定の日時を指定する操作とともに文字情報送信操作を受付けること総称してリマインダー設定の操作を受付けると呼称する。
【００３３】
次に、図４を用いてリマインダー設定記憶部１１０のリマインダー設定テーブル１５００の更新方法について説明する。
【００３４】
図４は、リマインダー設定記憶部１１０に記憶されたリマインダー設定テーブル１５００を模式的に表した図である。
【００３５】
リマインダー設定テーブル１５００は、電話装置１から発信した電話の発信先電話番号が記憶されているフィールド１５０１と、表示部１０５に表示すべきリマインダーの表示内容（以下、リマインダー表示内容と呼称）が記憶されているフィールド１５０２と、リマインダー表示内容を表示する日時が記憶されているフィールド１５０３と、から構成され、不応答検知部１０８がリマインダー設定の操作を検知する毎にレコード１５００が追加される。
【００３６】
リマインダー処理部１０９は、リマインダー設定の操作を受付けると、リマインダー設定テーブル１５００にレコードを追加し、当該レコードのリマインダー表示日時のフィールド１５０３に指定された日時を記憶する。そして、リマインダー処理部１０９は、渡された相手番号を当該レコードの発信先電話番号フィールド１５０１に記憶する。さらに、リマインダー処理部１０９は、前記相手番号への再発信を促す文字メッセージを生成し、生成した文字メッセージをリマインダー表示内容１５０２に記憶する。
【００３７】
尚、生成する文字メッセージは、予め登録されているメッセージであってもよいし、日時を指定する操作を受付けた際に、ユーザからの送信すべき文字メッセージ入力を受付けるようにしてもよい。図３の説明に戻る。
【００３８】
文字情報生成・送信部１１１は、リマインダー処理部１０９より相手番号と文字情報の生成・送信の指示を受けると、電話帳記憶部１０７から受付けた相手番号に対応する連絡先（例えば、メールアドレス）を抽出し、当該連絡先に「“前記指定された日時”に“相手番号”へ電話してください」という内容の文字情報を送信する。
【００３９】
図５は、本発明における電話装置１の動作フロー図である。本フローは電話装置１の電源が投入された状態から開始される。
【００４０】
電源が投入されると電話装置１は、ユーザによる電話発信操作を受付ける（Ｓ７０１）、電話着信を受付ける（Ｓ７１５）、リマインダー表示日時が到来する（Ｓ７２３）のいずれかの状態になるのを待つ。
【００４１】
ユーザによる電話発信操作を受付けると（Ｓ７０１、Ｙｅｓ）、電話装置１は、電話装置３へ電話発信コマンドを送信する（Ｓ７０２）。そして、電話装置１は、発信先が不応答／留守応答であったことを検知する（Ｓ７０３）、または電話発信コマンドに対する電話装置３からの応答コマンドを受信する（Ｓ７１１）のいずれかの状態になるのを待つ。
【００４２】
発信先が不応答／留守応答であったことを検知すると（Ｓ７０３、Ｙｅｓ）、電話装置１は、リマインダー設定画面を表示し（Ｓ７０４）、リマインダー設定の操作を受付ける（Ｓ７０５）、またはリマインダー設定のキャンセル操作を受付ける（Ｓ７１０）のいずれかの状態になるのを待つ。
【００４３】
リマインダー設定のキャンセル操作を受付けると（Ｓ７１０、Ｙｅｓ）、電話装置１は表示を停止して、ステップ７０１へ戻る。
【００４４】
リマインダー設定の操作を受付けると（Ｓ７０５、Ｙｅｓ）、電話装置１は、受付けたリマインダー設定の操作内容をリマインダー設定テーブル１５００に記憶し（Ｓ７０６）、受付けたリマインダー設定の操作内容に文字情報の送信操作が含まれるか否かを判定する（Ｓ７０７）。
【００４５】
記憶された設定内容に文字情報の送信操作が含まれていない場合（Ｓ７０７、Ｎｏ）、電話装置１は、ステップ７０１へ戻る。
【００４６】
記憶された設定内容に文字情報の送信操作が含まれていた場合（Ｓ７０７、Ｙｅｓ）、電話装置１は、前述した内容の文字情報を生成し（Ｓ７０８）、連絡先に送信する（Ｓ７０９）。
【００４７】
ステップ７１１において、応答コマンドを受信すると（Ｓ７１１、Ｙｅｓ）、通話路を確立して通話を開始する（Ｓ７１２）。そして、終話するのを待つ（Ｓ７１３）。終話すると（Ｓ７１３、Ｙｅｓ）、通話を終了し（Ｓ７１４）、電話装置１は、ステップ７０１に戻る。
【００４８】
一方、電話着信を受付けると（Ｓ７１５、Ｙｅｓ）、電話装置１は、留守モードが設定されているか否かを判定する（Ｓ７１６）。
【００４９】
留守モードが設定されている場合（Ｓ７１６、Ｙｅｓ）、電話装置１は、留守応答処理を実行する（Ｓ７１７）。そして、電話装置１は、ステップ７０１へ戻る。
【００５０】
着信に対して応答した場合（Ｓ７１８、Ｙｅｓ）、電話装置１は、応答コマンドを送信し、通話路を確立して通話を開始する（Ｓ７２０）。そして、電話装置１は、当該通話先の電話番号が、リマインダー設定テーブル１５００に記憶されているか否か（通話先の電話番号とリマインダー設定テーブル１５００の発信先電話番号１５０１とが一致するか否か）を判定する（Ｓ７２１）。
【００５１】
着信に対して応答しなかった場合（Ｓ７１８、Ｎｏ）、着信元を切断する（Ｓ７１９）。
【００５２】
着信元が切断した場合（Ｓ７１９、Ｙｅｓ）、電話装置１は、ステップ７０１へ戻る。
【００５３】
リマインダー設定テーブル１５００に記憶されている場合（Ｓ７２１、Ｙｅｓ）、電話装置１は、当該通話先の電話番号に対応するレコードを削除し（Ｓ７２２）、ステップ７１３へ移行する。
【００５４】
リマインダー設定テーブル１５００に記憶されていない場合（Ｓ７２１、Ｙｅｓ）、電話装置１はステップ７１３へ移行する。
【００５５】
ステップ７２３においてリマインダー表示日時が到来した場合（Ｓ７２３、Ｙｅｓ）、電話装置１は、リマインダー表示内容を表示する（Ｓ７２４）。
【００５６】
以上、本発明の一実施の形態を説明した。
【００５７】
本発明の実施の形態では、電話装置１は、不応答検知部１０８が不応答／留守応答を検知すると、リマインダー処理部１０９が表示部１０５にリマインダー設定画面を表示し、ユーザよりリマインダー設定の操作内容（リマインダー設定の日時を指定する操作）を受付けると、リマインダー設定記憶部１１０はリマインダー設定テーブル１５００のリマインダー表示日時１５０３に相手番号への再発信を促すメッセージを記憶し、リマインダー表示日時１５０３に記憶した日時になると当該メッセージを表示部１０５に表示する。これにより、ユーザは、リマインダー機能を起動する日時を設定するだけで、スケジュール情報を登録する必要がなくなる。
【００５８】
また、本発明の実施の形態では、電話装置１は、不応答検知部１０８が不応答／留守応答を検知すると、リマインダー処理部１０９が表示部１０５にリマインダー設定画面を表示し、ユーザよりリマインダー設定の操作内容に文字情報の送信操作が含まれる場合、文字情報生成・送信部１１１は、電話帳記憶部１０７から連絡先を抽出し抽出した連絡先に前記相手番号への再発信を促す文字メッセージを生成して、文字情報として送信する。これにより、例えば当該連絡先が電話逢装置１のユーザの携帯電話であった場合、出先においてリマインダー情報を受けることが出来る。
【００５９】
また、本発明の実施の形態では、電話装置１は、リマインダー設定テーブル１５００にレコードが登録された状態で、発信先電話番号１５０１の電話番号から着信を受付け、通話を確立すると、当該レコードを削除する。
これにより、ユーザは、リマインド後のリマインダー設定テーブル１５００の削除作業が不要となる。
【００６０】
また、本発明の実施の形態では、電話装置１は、電話着信した場合に通話先電話番号が
リマインダー設定テーブルに記憶されている場合に該当レコードを削除しているが、電話発信の場合にもこれを適用してもよい。
【００６１】
なお、本発明は上記の実施の形態に限定されるものではなく、その要旨の範囲内で数々の変形が可能である。
【００６２】
たとえば、上記の実施の形態では、電話装置１が電話不応答コマンドを受信した時に、発信者の持つ携帯電話４に文字情報を送信しているが、発信先の電話装置３に対して文字情報を送るようにしてもよい。その場合、上記の実施の形態では電話装置１の中の電話帳記憶部１０７に発信先の電話番号と、文字情報の送信先とを関連付けて保存する。
【００６３】
たとえば、上記の実施の形態では、電話装置１が文字情報を送信する手段は限定されない。文字情報を送る場合には、電子メールを使用してもよいし、ＳＮＳ等に投稿してもよい。
【００６４】
たとえば、上記の実施の形態では、電話装置１の中の電話帳記憶部１０７から文字情報の送信先を抽出する場合を例にとり説明したが、文字情報の送信先の一覧を外部サーバに設けて、不応答または留守モードによる自動応答であった発信先の電話の電話番号から文字情報の送信先を抽出できるようにしてもよい。
【００６５】
たとえば、上記の実施の形態では、前記発信先が不応答または留守モードによる自動応答であった場合に、発信者の持つ携帯電話４に文字情報を送信しているが、音声入力によるボイスメールを送信してもよい。
【符号の説明】
【００６６】
１・・・電話装置、１０１・・・通信制御部、１０２・・・電話処理部、１０３端末制御部、１０４・・・入力部、１０５・・・表示部、１０６・・・受話器、１０７・・・電話帳記憶部、１０８・・・不応答検知部、１０９・・・リマインダー処理部、１１０・・・リマインダー設定記憶部、１１１・・・文字情報生成・送信部、２・・・電話網、３・・・電話装置、４・・・携帯電話。
【図１】
2017220694.tif 000003
【図２】
2017220694.tif 000004
【図３】
2017220694.tif 000005
【図４】
2017220694.tif 000006
【図５】
2017220694.tif 000007